(57)【要約】【課題】患者に処置を行うときに患者と薬剤と薬剤投与者の三点照合の作業負担の軽減を図る。【解決手段】一実施形態に係る情報処理装置は、患者識別情報、薬剤識別情報、および、薬剤投与者識別情報を含む投薬情報を記憶する記憶部と、近距離無線通信によって、患者に取り付けられた第１通信端末、薬剤に取り付けられた第２通信端末、および、薬剤投与者に取り付けられた第３通信端末から、それぞれ患者識別情報、薬剤識別情報、および、薬剤投与者識別情報を受信する受信部と、投薬情報に含まれる患者識別情報、薬剤識別情報、および、薬剤投与者識別情報と、受信部が受信した患者識別情報、薬剤識別情報、および、薬剤投与者識別情報とが一致するか否かを判定する判定部と、判定部による判定結果を報知する報知部と、を備える。【選択図】図３
2020140219.tif 000002
【特許請求の範囲】
【請求項１】
患者を特定する患者識別情報と、前記患者に投与すべき薬剤を特定する薬剤識別情報と、前記薬剤を前記患者に投与すべき薬剤投与者を特定する薬剤投与者識別情報と、が対応付けられた投薬情報を記憶する記憶部と、
近距離無線通信によって、患者に取り付けられた第１通信端末、薬剤に取り付けられた第２通信端末、および、薬剤投与者に取り付けられた第３通信端末から、それぞれ患者識別情報、薬剤識別情報、および、薬剤投与者識別情報を受信する受信部と、
前記投薬情報に含まれる患者識別情報、薬剤識別情報、および、薬剤投与者識別情報と、前記受信部が受信した患者識別情報、薬剤識別情報、および、薬剤投与者識別情報とが一致するか否かを判定する判定部と、
前記判定部による判定結果を報知する報知部と、
を備えた、情報処理装置。
【請求項２】
前記受信部が前記患者識別情報、前記薬剤投与者識別情報、および、前記薬剤識別情報のすべてを受信した場合、音声出力および／または表示出力によって報知する第２報知部をさらに備えた、
請求項１に記載された情報処理装置。
【請求項３】
前記判定部は、前記受信部が前記第１通信端末、前記第２通信端末、および、前記第３通信端末から受信した情報の受信信号強度がすべて所定の閾値以上であることを条件として、受信した情報を判定対象として特定する、
請求項１又は２に記載された情報処理装置。
【請求項４】
前記判定部は、前記受信部が複数の患者識別情報を受信した場合、当該複数の患者識別情報のうち最も受信信号強度が大きい患者識別情報を判定対象として特定する、
請求項１〜３のいずれかに記載された情報処理装置。
【請求項５】
前記報知部は、患者識別情報、薬剤識別情報、および、薬剤投与者識別情報の各情報の判定結果を表示する、
請求項１〜４のいずれかに記載された情報処理装置。
【請求項６】
前記情報処理装置の状態を、省電力状態、又は、前記判定部および前記報知部の処理が実行可能である通常状態のいずれかの状態となるように制御する状態制御部をさらに備え、
前記状態制御部は、前記情報処理装置の状態が省電力状態である場合、前記受信部が前記患者識別情報、前記薬剤投与者識別情報、又は、前記薬剤識別情報の少なくともいずれかを受信したことを条件として、前記情報処理装置の状態を省電力状態から通常状態へ移行させる、
請求項１〜５のいずれかに記載された情報処理装置。
【請求項７】
患者に薬剤を投与する薬剤投与者を特定する薬剤投与者識別情報が予め使用者として記録された情報処理装置であって、
患者を特定する患者識別情報と、前記患者に投与すべき薬剤を特定する薬剤識別情報と、前記薬剤を前記患者に投与すべき薬剤投与者を特定する薬剤投与者識別情報と、が対応付けられた投薬情報を記憶する記憶部と、
近距離無線通信によって、患者に取り付けられた第１通信端末、および、薬剤に取り付けられた第２通信端末から、それぞれ患者識別情報および薬剤識別情報を受信する受信部と、
前記投薬情報に含まれる患者識別情報、薬剤識別情報、および、薬剤投与者識別情報と、前記受信部が受信した患者識別情報、薬剤識別情報、および、前記記録された薬剤投与者識別情報とが一致するか否かを判定する判定部と、
前記判定部による判定結果を報知する報知部と、
を備えた、情報処理装置。
【請求項８】
第１情報処理装置と、
前記第１情報処理装置と通信可能に構成された第２情報処理装置と、
患者に取り付けられ、近距離無線通信を行う第１通信端末と、
薬剤に取り付けられ、近距離無線通信を行う第２通信端末と、
薬剤投与者に取り付けられ、近距離無線通信を行う第３通信端末と、
を含む情報処理システムであって、
前記第２情報処理装置は、患者を特定する患者識別情報と、前記患者に投与すべき薬剤を特定する薬剤識別情報と、前記薬剤を前記患者に投与すべき薬剤投与者を特定する薬剤投与者識別情報と、が対応付けられた投薬情報を、前記第１情報処理装置に送信し、
前記第１情報処理装置は、
前記投薬情報を受信する第１受信部と、
前記第１通信端末、前記第２通信端末、および、前記第３通信端末から、それぞれ患者識別情報、薬剤識別情報、および、薬剤投与者識別情報を受信する第２受信部と、
前記投薬情報に含まれる患者識別情報、薬剤識別情報、および、薬剤投与者識別情報と、前記第２受信部が受信した患者識別情報、薬剤識別情報、および、薬剤投与者識別情報とが一致するか否かを判定する判定部と、
前記判定部による判定結果を報知する報知部と、を備えた、
情報処理システム。
【請求項９】
患者に薬剤を投与する薬剤投与者を特定する薬剤投与者識別情報が予め使用者として記録された第１情報処理装置と、
前記第１情報処理装置と通信可能に構成された第２情報処理装置と、
患者に取り付けられ、近距離無線通信を行う第１通信端末と、
薬剤に取り付けられ、近距離無線通信を行う第２通信端末と、
を含む情報処理システムであって、
前記第２情報処理装置は、患者を特定する患者識別情報と、前記患者に投与すべき薬剤を特定する薬剤識別情報と、前記薬剤を前記患者に投与すべき薬剤投与者を特定する薬剤投与者識別情報と、が対応付けられた投薬情報を、前記第１情報処理装置に送信し、
前記第１情報処理装置は、
前記投薬情報を受信する第１受信部と、
前記第１通信端末および前記第２通信端末から、それぞれ患者識別情報および薬剤識別情報、を受信する第２受信部と、
前記投薬情報に含まれる患者識別情報、薬剤識別情報、および、薬剤投与者識別情報と、前記受信部が受信した患者識別情報、薬剤識別情報、および、前記記録された薬剤投与者識別情報とが一致するか否かを判定する判定部と、
前記判定部による判定結果を報知する報知部と、を備えた、
情報処理システム。
【発明の詳細な説明】
【技術分野】
【０００１】
本発明は、患者に薬剤を投与するときの情報処理に関する。
【背景技術】
【０００２】
病棟において、患者の処方箋で指定された薬剤とは異なる薬剤（つまり、誤った薬剤）を当該患者に投与してしまう可能性を低下させるシステムが提案されている。
例えば、特許文献１において提案されているシステムでは、患者ＩＤと注射薬ＩＤとを予め対応付けて薬剤対応レコードとして記憶しておくとともに、第１のＩＣタグから患者ＩＤ、第２のＩＣタグから注射薬ＩＤをＩＣタグ読取機により読み取る。そして、ＩＣタグ読取機が読み取った患者ＩＤ及び注射薬ＩＤとの組み合わせが、予め記憶しておいた薬剤対応レコード中の患者ＩＤ及び注射薬ＩＤの組み合わせと合致するか否かを照合する。
【先行技術文献】
【特許文献】
【０００３】
【特許文献１】特開２００６−１２６９３０号公報
【発明の概要】
【発明が解決しようとする課題】
【０００４】
ところで、医師からのオーダーに対する処置について、看護師、医師等の、現場で患者に薬剤を投与する者（以下、「薬剤投与者」という。）、薬剤、および、患者の三点を照合することが、投薬ミスや患者取り違いミス等による医療事故を防止する上で有効であると考えられている。
しかし、上記特許文献１に記載されたシステムでは、患者と薬剤の照合に止まり、薬剤投与者の照合について考慮されておらず、上記三点照合が行われていない。
その一方で、三点照合を確実に行うことは薬剤投与者に作業負担を掛かるため、当該負担軽減が望まれている。
【０００５】
そこで、本発明は、患者に処置を行うときに患者と薬剤と薬剤投与者の三点照合の作業負担の軽減を図ることを目的とする。
【課題を解決するための手段】
【０００６】
本発明のある態様は、
患者を特定する患者識別情報と、前記患者に投与すべき薬剤を特定する薬剤識別情報と、前記薬剤を前記患者に投与すべき薬剤投与者を特定する薬剤投与者識別情報と、が対応付けられた投薬情報を記憶する記憶部と、
近距離無線通信によって、患者に取り付けられた第１通信端末、薬剤に取り付けられた第２通信端末、および、薬剤投与者に取り付けられた第３通信端末から、それぞれ患者識別情報、薬剤識別情報、および、薬剤投与者識別情報を受信する受信部と、
投薬情報に含まれる患者識別情報、薬剤識別情報、および、薬剤投与者識別情報と、受信部が受信した患者識別情報、薬剤識別情報、および、薬剤投与者識別情報とが一致するか否かを判定する判定部と、
前記判定部による判定結果を報知する報知部と、
を備えた、情報処理装置である。
【発明の効果】
【０００７】
本発明のある態様によれば、患者に処置を行うときに患者と薬剤と薬剤投与者の三点照合の作業負担の軽減を図ることができる。
【図面の簡単な説明】
【０００８】
【図１】第１の実施形態に係る投薬管理システムを示す図である。
【図２】第１の実施形態に係る投薬管理システムにおけるオーダー情報の一例である。
【図３】患者が装着するリストバンドの平面図である。
【図４】第１の実施形態に係る投薬管理システムの機能ブロック図である。
【図５】第１実施形態に係る投薬管理システムのシーケンスチャートである。
【図６】第１実施形態に係る投薬管理システムにおいてタブレット端末に表示される画面例を示す図である。
【図７】第２の実施形態に係る投薬管理システムを示す図である。
【図８】第３の実施形態に係る投薬管理システムを示す図である。
【図９】第３の実施形態に係る投薬管理システムの機能ブロック図である。
【図１０】第３実施形態に係る投薬管理システムのシーケンスチャートである。
【発明を実施するための形態】
【０００９】
以下、本発明の情報処理システムのいくつかの実施形態に係る投薬管理システムについて説明する。実施形態に係る投薬管理システムは、近距離無線通信を利用して医療現場での三点照合を自動化するためのシステムである。
以下の各実施形態では、近距離無線通信の例として、ＢＬＥ（Bluetooth(登録商標) Low Energy）の場合を例に挙げるが、その限りではない。ＲＦＩＤ(Radio Frequency Identification)、ＮＦＣ(Near Field Communication)等の他の近距離無線通信を利用してもよい。
【００１０】
（１）第１の実施形態
（１−１）投薬管理システム１の構成
図１に、第１の実施形態に係る投薬管理システム１を示す。
投薬管理システム１では、ナースステーションＮＳに設置されている情報処理端末１０（第２情報処理装置の一例）に、医師によって患者ごとに処方された処方箋に基づいて作成されたオーダー情報がオペレータＯＰによって入力され、記録されている。
【００１１】
図２にオーダー情報のリストの一例を示す。
図２において、オーダーＩＤによって特定されるオーダー情報は、処置日付の情報と、患者を特定する患者ＩＤと、当該患者に投与すべき注射薬（薬剤の一例）を特定する注射薬ＩＤと、当該注射薬を当該患者に投与すべき看護師を特定する看護師ＩＤと、が対応付けられている。図２に示す例では、患者ＩＤ、注射薬ＩＤ、および、看護師ＩＤに対応する患者名、注射薬の内容、および、看護師名の付随情報が示されている。
オーダー情報は、投薬情報の一例である。患者ＩＤ、注射薬ＩＤ、および、看護師ＩＤはそれぞれ、患者識別情報、薬剤識別情報、および、薬剤投与者識別情報の一例である。
情報処理端末１０は、病棟の各病室ＨＷの患者ＰＡのベッド近傍に設置されたタブレット端末２０と通信可能に構成されており、必要に応じて適切なオーダー情報が各病室ＨＷのタブレット端末２０へ送信される。タブレット端末２０は、情報処理装置および第１情報処理装置の一例である。
【００１２】
患者には、ＢＬＥ通信を行う患者ＢＬＥ端末１０１（第１通信端末の一例）を備えたリストバンド３０が取り付けられている。上述したように、ＢＬＥ通信は近距離無線通信の一例である。
図３に、患者が装着するリストバンド３０の平面図を示す。図３に示すように、リストバンド３０は、その中央近傍に患者ＢＬＥ端末１０１が取り付けられている。リストバンド３０の本体部３１には、患者の名前や患者ＩＤ等の患者情報３１ａが印字されている。リストバンド３０は、複数設けられている突起３２のいずれか２つを孔３３に挿入（セット）することで患者の手首に装着するように構成されている。
【００１３】
図１を再度参照する。
注射薬ＭＤには、タブレット端末２０とＢＬＥ通信を行う注射薬ＢＬＥ端末１０２（第２通信端末の一例）が取り付けられている。注射薬ＢＬＥ端末１０２の形態は問わないが、例えばラベル形態の端末であって、注射薬が収容されている容器に貼付されていてもよいし、当該容器に紐等で括り付けられていてもよい。また、注射薬ＢＬＥ端末１０２は、注射薬が収容されている容器に付属するトレーに置かれていてもよい。
【００１４】
看護師ＮＵは、タブレット端末２０とＢＬＥ通信を行う看護師ＢＬＥ端末１０３（第３通信端末の一例）が取り付けられている。看護師ＢＬＥ端末１０３の形態は問わないが、例えばカード形態の端末であって、クリップあるいはピンによって看護師ＮＵの衣服に取り付けられていてもよいし、紐によって看護師ＮＵの首に装着されていてもよい。
【００１５】
次に、図４を参照して、投薬管理システム１の機能ブロックについて説明する。図４は、第１の実施形態に係る投薬管理システム１の機能ブロック図である。
図４に示すように、情報処理端末１０は、制御部１１、操作入力部１２、表示部１３、ストレージ１４、音声出力部１５、および、通信インタフェース１６を備える。
制御部１１は、マイクロコントローラを主体として構成され、情報処理端末１０の全体を制御する。例えば、制御部１１は、オーダー情報をオペレータＯＰが入力するためのソフトウェアを実行し、ソフトウェアの実行結果を表示部１３に表示する。また、制御部１１は、当該ソフトウェアを通して、オペレータＯＰにより操作入力部１２から入力されたオーダー情報をストレージ１４に記録する。
【００１６】
操作入力部１２は、オペレータＯＰによる入力手段であり、例えば、キーボードやポインティングデバイス等を含み、入力された情報を制御部１１へ送る。表示部１３は、表示回路およびＬＣＤ等の表示パネルを含み、制御部１１による指令に基づいて画像を表示する。音声出力部１５は、音声出力回路およびスピーカを含み、制御部１１による指令に基づいて音声を出力する。
ストレージ１４は、オペレータＯＰによって入力されたオーダー情報（図２参照）を記録し、必要に応じて制御部１１により読み書きされる。
通信インタフェース１６は、タブレット端末２０の通信インタフェース２６（後述する）との間で所定のプロトコルの通信を行うためのインタフェース回路を含む。タブレット端末２０と通信を行うことができれば、有線あるいは無線を問わず、通信プロトコルも適宜設定してよい。
【００１７】
図４に示すように、タブレット端末２０は、制御部２１、操作入力部２２、表示部２３、ストレージ２４、音声出力部２５、通信インタフェース２６、および、ＢＬＥ通信部２７を備える。
制御部２１は、マイクロコントローラを主体として構成され、タブレット端末２０の全体を制御する。例えば、制御部２１は、情報処理端末１０から送信されるオーダー情報をストレージ２４に記録する。また、制御部２１は、後述するように、ストレージ２４に記録されたオーダー情報に基づいて、患者ＩＤ、注射薬ＩＤ、および、看護師ＩＤの照合処理（判定処理）を行い、その照合結果（判定結果）を、表示部２３および／または音声出力部２５を通して報知する。
制御部２１は、判定部および報知部の一例である。通信インタフェース２６は、第１受信部の一例である。
【００１８】
操作入力部２２は、看護師ＮＵによる入力手段であり、例えば、表示パネルに設けられたタッチパネル形式の入力デバイスを含み、入力された情報を制御部２１へ送る。表示部１３は、表示回路およびＬＣＤ等の表示パネルを含み、制御部２１による指令に基づいて画像を表示する。音声出力部２５は、音声出力回路およびスピーカを含み、制御部２１による指令に基づいて音声を出力する。
ストレージ２４は、前述したように、情報処理端末１０から送信されるオーダー情報が記録される。ストレージ２４は記憶部の一例である。
【００１９】
通信インタフェース２６は、情報処理端末１０の通信インタフェース１６との間で所定のプロトコルの無線あるいは有線による通信を行うためのインタフェース回路を含む。
ＢＬＥ通信部２７（受信部および第２受信部の一例）は、ＢＬＥリーダとして機能する。すなわち、ＢＬＥ通信部２７は、患者ＢＬＥ端末１０１、注射薬ＢＬＥ端末１０２、および、看護師ＢＬＥ端末１０３から、ユニークＩＤ（ＵＩＤ）として、それぞれ患者ＩＤ、注射薬ＩＤ、および、看護師ＩＤをＢＬＥ通信により取得する。取得された患者ＩＤ、注射薬ＩＤ、および、看護師ＩＤは、制御部２１による上記照合処理に使用される。ＢＬＥ通信による通信距離は数メートル程度であり、異なる病室にあるＢＬＥ端末のＵＩＤを誤って読み取る可能性は低い。
【００２０】
患者ＢＬＥ端末１０１、注射薬ＢＬＥ端末１０２、および、看護師ＢＬＥ端末１０３は、それぞれ、患者ＩＤ、注射薬ＩＤ、および、看護師ＩＤを記録する記録部（図示せず）と、ＢＬＥ通信を行う通信部（図示せず）とを備える。各ＢＬＥ端末には、通信部を動作させるための電池が内蔵されている。
【００２１】
なお、制御部２１は、タブレット端末２０の状態を、省電力状態、又は、上述した制御部２１の処理（照合処理や報知する処理）が実行可能である通常状態のいずれかの状態となるように制御してもよい。省電力状態では、ＢＬＥ通信部２７の受信機能は制限されない。制御部２１は、タブレット端末２０の状態が省電力状態である場合、ＢＬＥ通信部２７が患者ＩＤ、注射薬ＩＤ、又は、看護師ＩＤの少なくともいずれかを受信したことを条件として、タブレット端末２０の状態を省電力状態から通常状態へ移行させる。それによって、タブレット端末２０の省エネルギーを図ることができる。
制御部２１は、状態制御部の一例である。
【００２２】
（１−２）投薬管理システム１の動作
次に、投薬管理システム１の動作について、図５および図６を参照して説明する。図５は、本実施形態に係る投薬管理システム１のシーケンスチャートである。図６は、本実施形態に係る投薬管理システム１においてタブレット端末２０に表示される画面例を示す図である。
【００２３】
図５では、タブレット端末２０の初期状態が省電力状態の一例としてスリープ状態である場合を想定している。
図５において、先ず、ナースステーションＮＳにある情報処理端末１０から病室ＨＷ内のタブレット端末２０に対してオーダー情報が送信される（ステップＳ１０）。
オーダー情報の送信のトリガは適宜設定してよい。例えば、情報処理端末１０に記録されたオーダー情報リスト（図２参照）が更新される毎に、各病室ＨＷに設置されているタブレット端末２０にオーダー情報リストが送信されるようにしてもよい。あるいは、情報処理端末１０は、オーダー情報リストのうち、処置日付が合致するオーダー情報のみを各病室ＨＷに設置されているタブレット端末２０に送信してもよい。
別の方法として、病室ＨＷ内のタブレット端末２０は、患者ＢＬＥ端末１０１から患者ＩＤを取得した後、当該患者ＩＤを含むオーダー情報の要求を情報処理端末１０に対して行う。情報処理端末１０は、当該要求に応じてタブレット端末２０に対して当該患者ＩＤを含むオーダー情報を送信する。
【００２４】
タブレット端末２０の制御部２１は、ステップＳ１０で受信したオーダー情報をストレージ２４に記録する（ステップＳ１２）。
次いで、タブレット端末２０は、ＢＬＥ通信部２７を通して、患者ＢＬＥ端末１０１、注射薬ＢＬＥ端末１０２、および、看護師ＢＬＥ端末１０３から、それぞれ、ＵＩＤとして患者ＩＤ、注射薬ＩＤ、および、看護師ＩＤを取得する（ステップＳ１４）。なお、ステップＳ１４は、患者ＩＤ、注射薬ＩＤ、および、看護師ＩＤのすべてのＵＩＤを取得するまで繰り返し行ってもよい。
患者ＩＤ、注射薬ＩＤ、および、看護師ＩＤのすべてのＵＩＤを取得した場合には、表示部２３による所定の表示出力、および／または、音声出力部２５による所定の音声出力を行ってもよい。それによって、看護師はタブレット端末２０がすべてのＵＩＤを取得したことを認識できるため、後述する照合結果を表示するタブレット端末２０に対して、看護師の意識を向けさせることができる。
【００２５】
すべてのＵＩＤを取得すると、タブレット端末２０の制御部２１は、タブレット端末２０をスリープ状態から通常状態へ復帰させる（ステップＳ１６）。
患者ＰＡが病室ＨＷにいることを前提とすると、ＢＬＥによる通信距離は数メートルと短いため、患者ＰＡに対する処置のために看護師ＮＵが注射薬ＭＤとともに病室ＨＷに入室した後にタブレット端末２０がすべてのＵＩＤを取得可能となる。従って、看護師ＮＵが処置のために病室ＨＷに入ると、当該病室ＨＷ内のタブレット端末２０がスリープ状態から復帰して、後述する照合処理を開始することになる。
【００２６】
通常状態に復帰すると、タブレット端末２０の制御部２１は先ず、ストレージ２４に記録されているオーダー情報を表示する（ステップＳ１８）。なお、看護師ＮＵからのタブレット端末２０の画面に対するタッチ操作を受けて、オーダー情報を表示するようにしてもよい。ここで表示されるオーダー情報は、後述するステップＳ２０での照合対象となるオーダー情報である。ストレージ２４に複数のオーダー情報が記録されている場合には、ステップＳ１４で取得した患者ＩＤを含むオーダー情報のみを表示し、後述するステップＳ２０での照合対象とする。
ステップＳ１８におけるオーダー情報の表示部２３での表示例を図６Ａの画面Ｇ１０に示す。
【００２７】
次いで、タブレット端末２０の制御部２１は、ステップＳ１８で表示対象としたオーダー情報に含まれている患者ＩＤ、注射薬ＩＤ、および、看護師ＩＤと、ステップＳ１４で受信した患者ＩＤ、注射薬ＩＤ、および、看護師ＩＤとを照合し、その照合結果を表示する（ステップＳ２０）。
ステップＳ２０における照合結果の表示部２３での表示例を図６Ｂの画面Ｇ１１に示す。画面Ｇ１１に例示するように、すべてのＵＩＤが一致すると照合結果として「ＯＫ」が表示される。図示しないが、少なくともいずれか１つのＵＩＤが一致しない場合には、照合結果として「ＮＧ」が表示される。
【００２８】
なお、図６Ｂに例示する画面Ｇ１１では、患者ＩＤ、注射薬ＩＤ、および、看護師ＩＤのそれぞれのＵＩＤの照合結果を表示するようにしたが、その限りではない。個々のＵＩＤの照合結果を表示せず、すべてのＵＩＤが一致したか否かについての照合結果を表示するのみでもよい。図６Ｂに示すように個々のＵＩＤの照合結果を表示することで、看護師が、いずれかのＵＩＤの照合結果がＮＧの場合の対処を素早く行うことができる。
【００２９】
図５に示す例では、患者ＩＤ、注射薬ＩＤ、および、看護師ＩＤのすべての照合結果がＯＫであることを看護師が目視確認した場合、三点照合の完了指示として、タブレット端末２０の表示パネル、あるいは表示パネル内の所定の位置をタッチ入力する。このタッチ入力があった場合（ステップＳ２２：ＹＥＳ）、タブレット端末２０の制御部２１は、通信インタフェース２６を介して、処置の対象となるオーダー情報に対応付けて照合完了通知を送信する（ステップＳ２４）。
図示しないが、照合完了通知を受信した情報処理端末１０は、当該照合完了通知と対応付けられたオーダー情報に対して、処置が完了したことを示す情報を付加するようにしてストレージ１４内のオーダー情報リストを更新してもよい。
【００３０】
以上が図５のシーケンスチャートの処理である。
図５に示したように、本実施形態では、ステップＳ２０の三点照合は、患者ＢＬＥ端末１０１、注射薬ＢＬＥ端末１０２、および、看護師ＢＬＥ端末１０３のすべてのＢＬＥ端末からのＵＩＤを受信した後に行われる。各ＢＬＥ端末からのＵＩＤを受信可能な距離（受信可能な信号強度と同義）は設定可能である。例えば当該距離を例えば２〜３ｍ程度に設定すれば、処置対象となる患者に対して看護師が十分に近付いてからタブレット端末２０が自動的にすべてのＢＬＥ端末から受信可能となり、それがトリガとなって自動的に三点照合が開始される。
ＢＬＥ通信の設定によって受信可能な距離を、病室内のベッドの位置やタブレット端末２０の位置に応じて適宜調節することが好ましい。
【００３１】
以上説明したように、本実施形態の投薬管理システム１によれば、病室内に設置されたタブレット端末にて、患者、注射薬、および、看護師に取り付けられたＢＬＥ端末から取得した各ＵＩＤと、オーダー情報に含まれるＩＤとを照合することで、医療現場における自動三点照合が実現される。ここで、ＢＬＥ端末のような近距離無線通信端末を利用することで、自ずと病室内のタブレット端末から近距離内のＵＩＤを受信し、その受信が三点照合のトリガとなるため、ＵＩＤを誤検出する可能性は低く、また、三点照合の開始に当たって看護師に作業負担が生じない。
また、本実施形態の投薬管理システム１によれば、自動三点照合結果をタブレット端末２０の画面で認識することができるため、看護師が安心して患者に対する処置を行うことができる。
【００３２】
上述した実施形態において、タブレット端末２０の制御部２１は、ＢＬＥ通信部２７が患者ＢＬＥ端末１０１、注射薬ＢＬＥ端末１０２、および、看護師ＢＬＥ端末１０３から受信した各ＵＩＤの受信信号強度がすべて所定の閾値以上であることを条件として、受信したＵＩＤを照合対象（判定対象）として特定することが好ましい。それによって、各ＢＬＥ端末からのＵＩＤの受信信号の信頼性が向上し、引いては照合精度の向上に寄与する。
【００３３】
上述した実施形態において、タブレット端末２０の制御部２１は、ＢＬＥ通信部２７が複数の患者ＩＤを受信した場合、当該複数の患者ＩＤのうち最も受信信号強度が大きい患者ＩＤを照合対象（判定対象）として特定することが好ましい。例えば、１つの病室内に複数のベッドが設置され、複数の患者がいる場合、ある患者のベッド近傍に設置されたタブレット端末２０は、当該患者の患者ＩＤだけでなく、同室内の他の患者に取り付けられた患者ＢＬＥ端末から患者ＩＤを受信する場合がある。その場合、受信した複数の患者ＩＤのうち最も受信信号強度が大きい患者ＩＤを照合対象とすることで、目的とする患者ＩＤの照合精度を向上させることができる。
別の方法として、タブレット端末２０の制御部２１は、ＢＬＥ通信部２７が複数の患者ＩＤを受信し、かつ所定の閾値よりも受信信号強度が高い患者ＩＤが２以上ある場合には、当該２以上の患者ＩＤを表示させ、看護師ＮＵが選択操作できるように構成してもよい。
【００３４】
（２）第２の実施形態
次に、本発明の第２の実施形態について説明する。
図７に、第２の実施形態に係る投薬管理システム１Ａを示す。投薬管理システム１Ａが第１の実施形態の投薬管理システム１と異なる点は、タブレット端末２０が患者のベッド近傍に設置されているのではなく、タブレット端末２０に相当する機能を備えた携帯型通信端末５０を看護師ＮＵが所持していることである。携帯型通信端末５０は、図４に示したタブレット端末２０と同一の機能を備える。
携帯型通信端末５０は、ＰＤＡ(Personal Digital Assistance)端末あるいはスマートフォン等である。本実施形態では、携帯型通信端末５０は、情報処理装置および第１情報処理装置の一例である。
【００３５】
携帯型通信端末５０を用いて処置を行う場合、看護師ＮＵは、携帯型通信端末５０をＢＬＥ端末からの信号を受信可能な状態にしてから病室に入る。本実施形態においても全体の処理の流れは、タブレット端末２０の処理を携帯型通信端末５０が行うとした場合に図５で示したものと同じであるが、本実施形態ではステップＳ１６はなくてもよい。携帯型通信端末５０は看護師ＮＵが所持しているため、携帯型通信端末５０がＢＬＥ端末からの信号を受信可能な状態になった後、至近距離にある注射薬ＢＬＥ端末１０２および看護師ＢＬＥ端末１０３から各ＵＩＤの受信は直ちに完了する。従って、照合処理を開始するトリガは、看護師ＮＵが患者ＰＡに近付き、患者ＢＬＥ端末１０１から患者ＩＤを受信したことである。
【００３６】
本実施形態の投薬管理システム１Ａによれば、病棟内の各病室にタブレット端末２０を設置する必要がないため低コストで済む。複数の病棟を有する大きな病院において看護師ＮＵが病棟間を移動して処置を行う場合、特に有効である。
【００３７】
（３）第３の実施形態
次に、本発明の第３の実施形態について説明する。
図８に、第３の実施形態に係る投薬管理システム１Ｂを示す。投薬管理システム１Ｂが第２の実施形態の投薬管理システム１Ａと異なる点は、看護師ＮＵに看護師ＢＬＥ端末１０３が取り付けられていないことにある。
第２の実施形態の場合、複数の看護師に対して１つの携帯型通信端末５０を共用することが可能であるが、本実施形態の場合は、看護師ごとに専用の携帯型通信端末５０Ａを使用することを前提とする。看護師ＮＵに看護師ＢＬＥ端末１０３を取り付けない代わりに、本実施形態の携帯型通信端末５０Ａには、看護師ＩＤが予め使用者として登録（記録）されている。
【００３８】
図９に、第３の実施形態に係る投薬管理システム１Ｂの機能ブロック図を示す。図９に示すように、携帯型通信端末５０Ａは、制御部５１、操作入力部５２、表示部５３、ストレージ５４、音声出力部５５、通信インタフェース５６、および、ＢＬＥ通信部５７を含む。なお、各部の機能に関し、図４に示したタブレット端末２０の対応する各部と同一の機能については重複説明を省略する。
図９において、ＢＬＥ通信部５７は、患者ＢＬＥ端末１０１および注射薬ＢＬＥ端末１０２から、それぞれ患者ＩＤおよび注射薬ＩＤを受信する。
制御部５１は、三点照合を行う場合、オーダー情報に含まれる看護師ＩＤと、携帯型通信端末５０Ａに登録された看護師ＩＤとを照合する。看護師ＩＤは、例えば、ストレージ５４に記録されている。
【００３９】
次に、図１０を参照して投薬管理システム１Ｂの動作について説明する。図１０は、本実施形態に係る投薬管理システム１Ｂのシーケンスチャートである。
図１０に示すシーケンスチャートでは、看護師ＮＵは、患者の病室への入室前に携帯型通信端末５０ＡをＢＬＥ端末からの信号を受信可能な状態にしてから入室する場合を想定する。
【００４０】
図１０において、先ず、ナースステーションＮＳにある情報処理端末１０から看護師の携帯型通信端末５０Ａに対してオーダー情報が送信される（ステップＳ１０）。携帯型通信端末５０Ａの制御部５１は、ステップＳ１０で受信したオーダー情報をストレージ５４に記録する（ステップＳ１２０）。なお、ステップＳ１０およびステップＳ１２０は、看護師ＮＵが患者に対する処置を行う前（例えば、患者の病室への入室前）に行ってもよい。
看護師が患者の病室へ入室すると、携帯型通信端末５０Ａは、ＢＬＥ通信部５７を通して、患者ＢＬＥ端末１０１および注射薬ＢＬＥ端末１０２から、それぞれ、ＵＩＤとして患者ＩＤおよび注射薬ＩＤを取得する（ステップＳ１４０）。
【００４１】
次いで、携帯型通信端末５０Ａの制御部５１は、ストレージ５４に記録されているオーダー情報を表示する（ステップＳ１８０）。ここで表示されるオーダー情報は、後述するステップＳ２００での照合対象となるオーダー情報である。
【００４２】
次いで、携帯型通信端末５０Ａの制御部５１は、ステップＳ１８０で表示対象としたオーダー情報に含まれている患者ＩＤ、注射薬ＩＤ、および、看護師ＩＤと、ステップＳ１４０で受信した患者ＩＤ、注射薬ＩＤ、および、携帯型通信端末５０Ａに登録されている看護師ＩＤを照合する。そして制御部５１は、その照合結果を表示する（ステップＳ２００）。ステップＳ２００での表示例は、図６の画面Ｇ１１と同じでよい。
患者ＩＤ、注射薬ＩＤ、および、看護師ＩＤのすべての照合結果がＯＫであることを看護師が目視確認した場合、看護師は、三点照合の完了指示として、携帯型通信端末５０Ａの表示パネル、あるいは表示パネル内の所定の位置をタッチ入力する。このタッチ入力があった場合（ステップＳ２２０：ＹＥＳ）、携帯型通信端末５０Ａの制御部５１は、通信インタフェース５６を介して、処置の対象となるオーダー情報に対応付けて照合完了通知を送信する（ステップＳ２４０）。
【００４３】
以上、本発明の情報処理システム、情報処理装置の一実施形態について詳細に説明したが、本発明は上記の実施形態に限定されない。また、上記の実施形態は、本発明の主旨を逸脱しない範囲において、種々の改良や変更が可能である。
例えば、上述した第１乃至第３の実施形態では、看護師が三点照合の完了指示の操作を行い、当該操作に応じて照合完了通知が送信される場合について説明したが、その限りではない。
すなわち、完了指示の操作および照合完了通知の送信は必ずしも行われなくてもよい。看護師に対して照合結果を報知してすべての処理を終了したとしても、自動的な三点照合によって医療事故を防止するという効果が発揮される。
【符号の説明】
【００４４】
１，１Ａ，１Ｂ…投薬管理システム
１０…情報処理端末
１１…制御部
１２…操作入力部
１３…表示部
１４…ストレージ
１５…音声出力部
１６…通信インタフェース
２０…タブレット端末
２１…制御部
２２…操作入力部
２３…表示部
２４…ストレージ
２５…音声出力部
２６…通信インタフェース
２７…ＢＬＥ通信部
３０…リストバンド
３１…本体部
３１ａ…患者情報
３２…突起
３３…孔
５０…携帯型通信端末
５１…制御部
５２…操作入力部
５３…表示部
５４…ストレージ
５５…音声出力部
５６…通信インタフェース
５７…ＢＬＥ通信部
１０１…患者ＢＬＥ端末
１０２…注射薬ＢＬＥ端末
１０３…看護師ＢＬＥ端末
ＮＳ…ナースステーション
ＯＰ…オペレータ
ＨＷ…病室
ＮＵ…看護師
ＰＡ…患者
ＭＤ…注射薬
【図１】
2020140219.tif 000003
【図２】
2020140219.tif 000004
【図３】
2020140219.tif 000005
【図４】
2020140219.tif 000006
【図５】
2020140219.tif 000007
【図６】
2020140219.tif 000008
【図７】
2020140219.tif 000009
【図８】
2020140219.tif 000010
【図９】
2020140219.tif 000011
【図１０】
2020140219.tif 000012